(57)【特許請求の範囲】
【請求項１】
長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、前記本体部の両側縁から幅方向に延出する一対のウイング部とを含む吸収性物品であって、
前記ウイング部は、前記ウイング部の着衣側に、粘着部と前記粘着部を被覆する剥離シートとを有していると共に、長手方向の寸法が小さい領域を前記付け根側に有し、および長手方向の寸法が大きい領域を幅方向外側に有し、
前記粘着部は、前記ウイング部の幅方向外側の端部まで存在し、前記本体部の側縁と接する前記ウイング部の付け根側に存在せず、前記ウイング部における前記長手方向の寸法が大きい領域に設けられ、および前記ウイング部における前記長手方向の寸法が小さい領域に設けられておらず、
前記剥離シートの幅方向外側の端部は、前記ウイング部の幅方向外側の端部と一致する吸収性物品。
【請求項２】
前記粘着部は、前記ウイング部の幅方向外側の端部の長手方向における中央部分に存在しない請求項１に記載の吸収性物品。
【請求項３】
前記剥離シートの幅方向内側の端部は、前記粘着部の幅方向内側の端部よりも幅方向内側に存在する請求項１又は２に記載の吸収性物品。
【請求項４】
前記粘着部は、幅方向に延びる形状の複数の粘着部構成要素を含み、
前記一対のウイング部のうちの一方のウイング部の前記粘着部構成要素は、他方のウイング部の前記粘着部構成要素から幅方向に延ばした延長線上に存在する請求項１〜３のいずれか１項に記載の吸収性物品。
【請求項５】
前記ウイング部は、前記本体部と別の部材で形成される請求項１又は２に記載の吸収性物品。
【請求項６】
前記ウイング部の資材の配向方向は、前記本体部の資材の配向方向と直交している請求項５に記載の吸収性物品。
【請求項７】
長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、前記本体部の両側縁部から幅方向に延出する一対のウイング部とを含む請求項１に記載の吸収性物品を製造する方法であって、
（ａ）前記ウイング部を形成するために用いる帯状のウイング部形成用シート上に、粘着剤を塗布した剥離シートを、機械方向に所定間隔で貼り付ける工程と、
（ｂ）前記粘着剤が塗布されている領域が２つに分断されるように、機械方向の所定間隔で、前記剥離シートを貼り付けた前記ウイング部形成用シートを切断する工程と、
（ｃ）前記切断された前記ウイング部形成用シートを前記機械方向に対して略９０°回転させる工程と、
（ｄ）前記略９０°回転したウイング部形成用シートを、長手方向に移動する前記本体部に固定する工程とを含む吸収性物品の製造方法。
【請求項８】
長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、前記本体部の両側縁部から幅方向に延出する一対のウイング部とを含む請求項１に記載の吸収性物品を製造する方法であって、
（ａ）前記ウイング部を形成するために用いる帯状のウイング部形成用シートに、幅方向に所定の距離で離隔し粘着剤を塗布した一対の剥離シートを貼り付ける工程と、
（ｂ）前記一対の剥離シートにおける前記粘着剤部が塗布されているそれぞれの領域が切断されて形成された端部が、前記ウイング部の幅方向外側の端部になるように、前記剥離シートを貼り付けたウイング部形成用シートの不要部分を切除して、前記ウイング部形成用シートの外形を決める工程と、
（ｃ）外形を決めた前記ウイング部形成用シートを、長手方向に移動する前記本体部に固定する工程とを含む吸収性物品の製造方法。
【発明の詳細な説明】
【技術分野】
【０００１】
本発明は、ショーツなどの下着に固定して使用する軽失禁パッド、生理用ナプキン、パンティーライナーなどの吸収性物品および吸収性物品の製造方法に関する。
【背景技術】
【０００２】
吸収性物品が使用中にずれるのを防止するために、吸収性物品には、粘着剤を塗布した粘着剤領域を有するものがある。とくに、ウイング部を有する吸収性物品においては、粘着剤領域は、ウイング部の着衣側に設けられている。このような吸収性物品は、ウイング部を折り曲げて、折り曲げたウイング部を下着のクロッチ部の外側に貼り付けることによって、吸収性物品を下着に安定して固定することができる。これにより、ウイング部を有する吸収性物品は、ウイング部を有しないものに比べて、体液によって下着が汚れるのを防止できる。そして、ウイング部を有する吸収性物品は、下着が汚れないという安心感を着用者に与えることができる。このウイング部の粘着剤領域は、粘着剤領域の外周縁部がウイング部の外周縁部から間隔をおいて内側に存在するようにウイング部に設けられている（たとえば、特許文献１）。これにより、粘着剤が吸収性物品の外周縁部から露出せず、着用者の肌に付着しないようにすることができる。
【先行技術文献】
【特許文献】
【０００３】
【特許文献１】特許第３８８６４５１号公報
【発明の概要】
【発明が解決しようとする課題】
【０００４】
しかしながら、特許文献１に記載の吸収性物品では、下着のクロッチ部にウイング部を巻き込んで使用するとき、ウイング部の外周縁部と粘着剤領域の外周縁部との間の粘着剤が設けられていない部分がめくれてしまう場合がある。この場合、めくれた部分が着用者の股間部にあたり、着用者に違和感を与えるという問題が生じる場合がある。
【０００５】
本発明は、上記課題を解決するために、粘着剤が着用者の肌に接触せず、かつウイング部のめくれが生じない吸収性物品を提供することを目的とする。
【課題を解決するための手段】
【０００６】
本発明は、上記課題を解決するため、以下の構成を採用した。
すなわち、本発明は、長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、本体部の両側縁から幅方向に延出する一対のウイング部とを含む吸収性物品であって、ウイング部は、ウイング部の着衣側に、粘着部と粘着部を被覆する剥離シートとを有し、粘着部は、ウイング部の幅方向外側の端部まで存在し、剥離シートの幅方向外側の端部は、ウイング部の幅方向外側の端部と一致する。
本発明の他の発明は、長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、本体部の両側縁部から幅方向に延出する一対のウイング部とを含む吸収性物品の製造方法であって、（ａ）ウイング部を形成するために用いる帯状のウイング部形成用シート上に、粘着剤を塗布した剥離シートを、機械方向に所定間隔で貼り付ける工程と、（ｂ）粘着剤が塗布されている領域が２つに分断されるように、機械方向の所定間隔で、剥離シートを貼り付けたウイング部形成用シートを切断する工程と、（ｃ）切断されたウイング部形成用シートを機械方向に対して略９０°回転させる工程と、（ｄ）略９０°回転したウイング部形成用シートを、長手方向に移動する本体部に固定する工程とを含む。
本発明のさらに別の発明は、長手方向と幅方向とを有し、肌側に設けられた液体透過性の表面シート、着衣側に設けられた液体不透過性の裏面シートおよび該表面シートと該裏面シートとの間に介在する液保持性の吸収体を備える本体部と、本体部の両側縁部から幅方向に延出する一対のウイング部とを含む吸収性物品の製造方法であって、（ａ）ウイング部を形成するために用いる帯状のウイング部形成用シートに、幅方向に所定の距離で離隔し粘着剤を塗布した一対の剥離シートを貼り付ける工程と、（ｂ）一対の剥離シートにおける粘着剤部が塗布されているそれぞれの領域が切断されて形成された端部が、ウイング部の幅方向外側の端部になるように、剥離シートを貼り付けたウイング部形成用シートの不要部分を切除して、ウイング部形成用シートの外形を決める工程と、（ｃ）外形を決めたウイング部形成用シートを、長手方向に移動する本体部に固定する工程とを含む。
【発明の効果】
【０００７】
本発明によれば、粘着剤が着用者の肌に接触せず、かつウイング部のめくれが生じない吸収性物品およびその吸収性物品の製造方法を提供することができる。
【図面の簡単な説明】
【０００８】
【図１】図１は本発明の吸収性物品の一実施形態の部分破断平面図である。
【図２】図２は図１のＡ−Ａ線断面を示す模式断面図である。
【図３】図３は本発明の吸収性物品の一実施形態の部分破断底面図である。
【図４】図４は、本発明の一実施形態の吸収性物品の製造方法を説明するための図である。
【図５】図５は本発明の吸収性物品の一実施形態の変形例を説明するための部分破断底面図である。
【図６】図６は本発明の吸収性物品の一実施形態の変形例を説明するための部分破断底面図である。
【図７】図７は本発明の吸収性物品の一実施形態の変形例を説明するための部分破断底面図である。
【図８】図８は、本発明の一実施形態の製造方法の変形例を説明するための図である。
【図９】図９は、本発明の一実施形態の製造方法の変形例を説明するための図である。
【発明を実施するための形態】
【０００９】
以下、図面を参照して、本発明を説明するが、本発明は図面に記載されたものに限定されるものではない。
【００１０】
図１は本発明の吸収性物品の一実施形態の部分破断平面図であり、図２は図１のＡ−Ａ線断面を示す模式断面図であり、図３はその吸収性物品の部分破断底面図である。吸収性物品１は、肌側に設けられた液体透過性の表面シート２、着衣側に設けられた液体不透過性の裏面シート３および該表面シート２と該裏面シート３との間に介在する液保持性の吸収体４を備える本体部５と、本体部５の両側縁６から幅方向に延出する一対のウイング部７とを含む。ウイング部７は、ウイング部７の着衣側に粘着部２２と、粘着部２２を被覆する剥離シート２４とを有する。なお、図１および図３において、吸収性物品１の幅方向がＸ軸方向であり、長手方向がＹ軸方向である。
【００１１】
本体部５の形状は、長方形、楕円型、瓢箪型など、女性の身体およびショーツの形状に適合する形状であれば特に限定されない。外形の延べ寸法は、長手方向１００〜５００ｍｍが好ましく、１５０〜３５０ｍｍがより好ましい。また、短手方向は３０〜２００ｍｍが好ましく、４０〜１８０ｍｍであることが好ましい。
【００１２】
表面シート２は、尿、経血などの体内からの液状排泄物を、その下に設けた吸収体４へ通過させる機能を有するとともに、裏面シート３との間に吸収体４を挟むことにより吸収体４を保持するためのものである。表面シート２は、その全部または一部が液透過性であり、液透過域は、多数の液透過孔が形成された樹脂フィルム、多数の網目を有するネット状シート、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアースルー不織布などを用いることができる。また、素材として、ポリ乳酸、キトサン、ポリアルギン酸などの生分解性が可能な天然物を用いることもできる。また、多数の液透過孔を形成すると共に、シリコーン系やフッ素系の撥水性油剤を塗布して、その外面に体液が付着しにくいものとしてもよい。
【００１３】
表面シート２の目付は１５〜１００ｇ／ｍ2が好ましく、２０〜５０ｇ／ｍ2がより好ましい。目付が１５ｇ／ｍ2以下だと表面強度が十分に得られず、使用中に破けるおそれがある。また１００ｇ／ｍ2を超える場合、過度のごわつきが発現し、使用中に違和感を生じる。さらには、長時間使用の場合には、５０ｇ／ｍ2を超えてしまうと、液体を表面シート２で保持してしまいベタベタした状態で維持され続け、不快に感じるようになってしまう。また、密度は０．１２ｇ／ｃｍ3以下で液透過性であれば特には限定されない。密度がこれ以上の場合、表面シート２の繊維間をスムーズに透過することが難しい。
【００１４】
表面シート２の全部または一部を構成する液透過性域が、多数の液透過性開孔が形成されたフィルムなどである開孔フィルムである場合は、開孔径は０．０５ｍｍ以上３ｍｍ以下の範囲内、ピッチは、０．２ｍｍ以上１０ｍｍ以下の範囲内、開孔面積率は、３％以上３０％以下の範囲内であることが好ましい。
【００１５】
本発明の吸収性物品１は、表面シート２と吸収体４の間に、さらに第二の液透過性シートを有していてもよい。第二の液透過性シートは、表面シート２と類似の素材（たとえば不織布）のものであって、表面シート２よりも若干密度の高いものが用いられ、液はけ性を改善したり、液戻りしにくくしたりするために、設けることができる。
【００１６】
裏面シート３は、吸収体４に吸収された尿、経血などの液体が外へ漏れ出すのを防止する機能を有するものであり、そのような液体が外へ漏れ出すのを防止できる材料が使用される。また、液体は通さないが通気性のある素材とすることにより、着用時のムレを低減させることができ、着用時における不快感を低減させることが可能となる。このような材料としては、たとえば、ポリエチレン（ＰＥ）、ポリプロピレン（ＰＰ）などを主体とした液不透過性フィルム、通気性フィルム、スパンボンドなどの不織布の片面に液不透過性フィルムをラミネートした複合シートなどが挙げられる。好ましくは、疎水性の不織布、不透水性のプラスチックフィルム、不織布と不透水性プラスチックフィルムとのラミネートシートなどを用いることができる。また、耐水性の高いメルトブローン不織布を強度の強いスパンボンド不織布で挟んだＳＭＳ不織布でもよい。
【００１７】
吸収体４は、尿、経血などの液体を吸収して保持する機能を有するもので、嵩高であり、型崩れし難く、化学的刺激が少ないものであることが好ましい。たとえば、フラッフ状パルプもしくはエアレイド不織布と高吸収性ポリマー（ＳＡＰ）とからなる吸収体を例示できる。フラッフ状パルプの代わりに、たとえば、化学パルプ、セルロース繊維、レーヨン、アセテートなどの人工セルロース繊維を例示できる。パルプなどの吸収性繊維は目付１００〜８００ｇ／ｍ2、高吸収性ポリマーの質量比は吸収性繊維を１００％として３０〜６５％が好ましい。吸収性繊維と高吸収性ポリマーが全体に均一に分布した混合体を覆うティッシュなど液透過性の素材の目付は１２〜３０ｇ／ｍ2が好ましい。エアレイド不織布としては、たとえば、パルプと合成繊維とを熱融着させまたはバインダーで固着させた不織布を例示できる。高吸収性ポリマーは、水溶性高分子が適度に架橋した三次元網目構造を有するもので、３０〜６０倍の水を吸収するが本質的に水不溶性であり、一旦吸収された水は多少の圧力を加えても離水しないものであり、たとえば、デンプン系、アクリル酸系、アミノ酸系の粒子状または繊維状のポリマーを例示できる。吸収体の形状および構造は必要に応じて変えることができるが、吸収体の全吸収量は、吸収性物品としての設計挿入量および所望の用途に対応させる必要がある。また、吸収体のサイズや吸収能力などは用途に対応して変動される。
【００１８】
吸収体４は、上層吸収体層と下層吸収体層の２層で構成し、上層吸収体層を親水性シートと高吸収性ポリマーから形成していてもよい。親水性シートは、不織布、多孔性プラスチックスシートなどからなる親水性を有するシートである。不織布、多孔性プラスチックスシートなどの場合には、必要に応じて、親水処理が施される。また、不織布としては、例えば、スパンレース、スパンボンド、サーマルボンド、メルトブローン、ニードルパンチ、エアースルーなどの不織布が用いられる。不織布を構成する素材繊維としては、ポリエチレンまたはポリプロピレンなどのオレフィン系、ポリエステル系、ポリアミド系などの合成繊維の他、レーヨンやキュプラなどの再生繊維、綿などの天然繊維を例示できる。上層吸収体層は、親水性シートの片側に高吸収性ポリマーが所定のパターンで散布され、別の親水性シートが高吸収性ポリマーを挟むように積層され、高吸収性ポリマーが散布されていない箇所で接合手段（例えば、ホットメルト接着剤を用いたヒートシール）によって接合されて、シート状に形成されている。高吸収性ポリマーは、ホットメルトなどの接着剤で親水性シートに固定されることが好ましいが、粉砕物のまま固定されずに親水性シートで覆われて存在してもよい。高吸収性ポリマーを挟む親水性シートは、１枚の親水性シートを折り返したものを接合してもよいし、上下で同じまたは異なる親水性シートを２枚用いて高吸収性樹脂を挟んで接合してもよい。上層吸収体層の形態として、親水性シートの端部および縁部は、中央部に向かって折り返して形成されていてもよい。折り返されることによって、吸収後過度に体圧が加わっても、膨潤した高吸収性ポリマーが上層吸収体層から飛び出る恐れをなくし、端部が折り返されることによって、シート材の目付が増えてより圧縮回復性が増す効果がある。下層吸収体層は、失禁パッド、生理用ナプキン、使い捨ておむつなどの吸収性物品において吸収体本体として使用される、従来から公知の吸収体材料で構成することができる。代表的な吸収性材料としては、吸収性繊維と高吸収性ポリマーを混合して含むものである。
【００１９】
ウイング部７は、ウイング部７の着衣側に、粘着部２２と粘着部２２を被覆する剥離シート２４とを有する。
【００２０】
ウイング部７は、吸収性物品１を下着に安定して固定するために吸収性物品１に設けられている。ウイング部７を下着の外面側に折り曲げた後、粘着部２２を介して下着のクロッチ部に貼り付けることによって、吸収性物品１を下着に安定して固定できる。ウイング部７の形状は略矩形形状である。なお、吸収性物品１を下着に安定して固定することができる形状であれば、ウイング部７の形状は、略矩形形状に限定されない。ウイング部７が下着に固定される下着のクロッチ部の通気性を良好にするために、ウイング部７には、不織布または通気不透液性プラスチックフィルムが使用されることが好ましい。また、ウイング部７を形成する材料として、上述の裏面シート３または表面シート２を形成する材料として好ましいものを使用することができる。ウイング部７を折り曲げやすくするため、およびウイング部７を下着に固定したときの装着感を良好にするため、ウイング部の材料には、低目付の材料を使用することが好ましい。
【００２１】
ウイング部７は、本体部５と別の部材である。ホットメルト型接着剤などの接着剤、熱シールなどを使用して、ウイング部７を形成するために用いるウイング部形成部材１２を本体部５の着衣側に固定することによって、ウイング部７は形成される。なお、ウイング形成部材を表面シートおよび裏面シート、表面シートおよび吸収体、裏面シートおよび吸収体、または表面シート、裏面シートおよび吸収体で挟むことによって、ウイング部形成部材を本体部に固定するようにしてもよい。また、ウイング部は、本体部で用いている表面シートと裏面シートとを幅方向に延長して形成してもよいし、本体部を構成する部材と一体の部材で形成してもよい。たとえば、１枚のシートから裏面シートとウイング部の両方を含む形状を切り取って、裏面シートとウイング部とが一体につながった１枚の部材を形成してもよい。また、１枚のシートから表面シートとウイング部の両方を含む形状を切り取って、表面シートとウイング部とが一体につながった１枚の部材を形成してもよい。表面シートとウイング部と、および／または裏面シートとウイング部とが、一体のものである場合、ウイング部が本体部とつながった部分における本体部の側縁は、ウイング部が本体部とつながっていない本体部の上の側縁（図１の符号６ａに相当する）と本体部の下の側縁（図１の部号６ｂに相当する）とを結んだ直線を、本体部の側縁とみなす。
【００２２】
ウイング部７が不織布からできている場合、ウイング部７の繊維配向は、吸収性物品１の長手方向（Ｙ軸方向）に直交していることが好ましい。これにより、ウイング部７における吸収性物品１の幅方向の強度を増加させることができ、ウイング部７が吸収性物品１からちぎれにくくできる。ここで、繊維配向とは、不織布の表面を見た場合に、繊維の流れ方向が繊維配向である。不織布について「繊維配向が長手方向である」とは、その不織布を構成する総繊維重量のうち、１００％が長手方向Ｙに繊維配向されているものから、５０％以上が長手方向Ｙに対して−４５°〜＋４５°の範囲で繊維配向性を有するようにされているものまでのことをいう。不織布の繊維配向性の測定方法は、一般に用いられている測定方法を使用することができる。例えば、ＴＡＰＰＩ標準法Ｔ４８１の零距離引張強さによる繊維配向性試験法に準じた測定方法とすることができる。また、簡易的な方法として、不織布の製造ライン方向（ＭＤ）とその直交方向（ＣＤ）との引張強度比（ＭＤ／ＣＤ）から繊維配向性を測定してもよい。簡易的測定方法の具体的な手順としては、ＳＨＩＭＡＤＺＵ社製オートグラフ（ＡＧＳ−Ｇ１００Ｎ）の試験機を使用して、長さ２００ｍｍ、幅５０ｍｍの試験片を、クロスヘッドスピード５００ｍｍ／ｍｉｎ、チャック間距離１５０ｍｍの条件下で試験を行い、引張り時の最大荷重から引張強度を求めるとともに、最大荷重時の伸びから伸度を算出する。引張強度の比（ＭＤ／ＣＤ）が１より大きければ、不織布がＭＤ方向に繊維配向性を持つ、ということがいえる。
【００２３】
ウイング部７の資材の配向方向は、本体部５を構成する表面シート２、裏面シート３または吸収体４の資材（以下、本体部５の資材と呼ぶ）の配向方向と直交していることが好ましい。ここで、資材の配向方向とは、たとえば、資材が不織布などの繊維からなる場合は繊維配向であり、資材がフィルムからなる場合は、フィルムが延伸されている方向、たとえば機械方向である。これにより、ウイング部７の幅方向の強度を高めることができる。そして、ウイング部７の幅方向の強度を高めることができた分、ウイング部７の資材を薄くすることができ、吸収性物品１の装着感を改善できる。
【００２４】
粘着部２２は、ウイング部７を下着のクロッチ部の外側に固定する。粘着部２２を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン重合体、スチレン−ブチレン−スチレンブロック共重合体、スチレン−イソブチレン−スチレン共重合体などが挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂などが挙げられ、前記可塑剤では例えば、リン酸トリフレシル、フタル酸ジブチル、フタル酸ジオクチルなどのモノマー可塑剤の他、ビニル重合体やポリエステルのようなポリマー可塑剤が挙げられる。
【００２５】
粘着部２２は、ウイング部７の幅方向外側の全面に設けられている。また、粘着部２２は、ウイング部７の幅方向外側の端部７ａまで存在していることが好ましい。これにより、下着のクロッチ部にウイング部７を巻き込んで使用したとき、ウイング部７が端部７ａからめくれるのを防止することができる。
【００２６】
粘着部２２は、本体部５の側縁６と接するウイング部７の付け根８側には存在しないことが好ましい。粘着部２２が設けられている領域におけるウイング部７の剛性は高く、粘着部２２が設けられていない領域におけるウイング部７の剛性は低いので、ウイング部７の付け根８近傍でウイング部７は折り曲げやすくなる。
【００２７】
なお、粘着部２２は、ウイング部７の着衣側の他に、ウイング部形成部材１２の本体部５と重なっている領域の着衣側に設けてもよい。これにより、吸収性物品は、下着のクロッチ部の内側でも固定されることになり、吸収性物品を下着のクロッチ部に、より安定的に固定することができる。
【００２８】
剥離シート２４は、粘着部２２を被覆して、吸収性物品１の使用前の粘着部２２を保護する。剥離シート２４は、粘着部２２の粘着剤に対して剥離可能であるシートであればとくに限定されない。剥離シート２４には、たとえば、剥離剤を基材に塗布したものを使用することができる。剥離剤を塗布する基材には、ポリプロピレン、低密度ポリエチレン、ポリビニルアルコールなどのフィルム、不織布、紙などがあり、剥離剤には、シリコーン系、フッ素系、イソシアネートなどの剥離剤がある。
【００２９】
剥離シート２４の幅方向外側の端部は、ウイング部７の幅方向外側の端部７ａと一致することが好ましい。これにより、吸収性物品１を製造するとき、ウイング部７を形成するために用いる帯状のウイング部形成用シートに、幅方向に所定の距離で離隔し粘着剤を塗布した一対の剥離シートを貼り付け、この一対の剥離シートにおける粘着剤部が塗布されているそれぞれの領域が切断されて形成された端部が、ウイング部７の幅方向外側の端部７ａになるように、剥離シートを貼り付けたウイング部形成用シートの不要部分を切除して、ウイング部形成用シートの外形を決めることができる。その結果、粘着部２２がウイング部７の幅方向外側の端部７ａまで存在しているにもかかわらず、粘着部２２がウイング部７の幅方向外側の端部７ａからはみ出ないようにすることができ、剥離シート２４を粘着部２２から剥がす前に粘着剤が着用者の肌に接触するのを防止することができる。
【００３０】
剥離シート２４の幅方向（Ｘ軸方向）内側の端部２４ａは、粘着部２２の幅方向（Ｘ軸方向）内側の端部２２ａよりも幅方向内側に存在することが好ましい。これにより、剥離シート２４における剥離シート２４の幅方向内側の端部２４ａと粘着部２２の幅方向内側の端部２２ａとの間の粘着部２２が設けられていない部分から剥離シート２４を吸収性物品１から剥がすことができるので、剥離シート２４を吸収性物品１から容易に剥がすことができる。
【００３１】
次に、図４を参照して本発明の一実施形態の吸収性物品１の製造方法を説明する。図４（ａ）に示すように、ウイング部７を形成するために用いる帯状のウイング部形成用シート３１を供給する。帯状のウイング部形成用シート３１は、機械方向（ＭＤ）に移動する。図４（ｂ）に示すように、ウイング部形成用シート３１の機械方向と直交する幅方向に所定の距離で離間し粘着剤を塗布した一対の剥離シート３２を、ウイング部形成用シート３１に貼り付ける。このとき、粘着剤を塗布した複数の一対の剥離シート３２は、機械方向の所定間隔で帯状のウイング部形成用シート３１上に貼り付けられる。なお、ウイング部形成用シート３１と同じように帯状の連続した一対の剥離シートをウイング部形成用シート３１に貼り付けてもよい。図４（ｃ）に示すように、一対の剥離シート３２における粘着剤部が塗布されているそれぞれの領域３３が切断されて形成された端部が、ウイング部７の幅方向外側の端部７ａになるように、剥離シート３２を貼り付けたウイング部形成用シート３１の点線３４を切断して不要部分を切除して、ウイング部形成用シート３１の外形を決め、図４（ｄ）に示すように、外形を決めたウイング部形成用シート３５を作製する。また、図４（ｅ）に示すように、表面シート２を形成するために用いる表面シート形成用シートと裏面シート３を形成するために用いる裏面シート形成用シートとで吸収体を挟んで作製した帯状の本体部形成用シート４１を供給する。本体部形成用シートは機械方向（ＭＤ）に移動する。図４（ｆ）に示すように、本体部形成用シート４１の点線４２を切断して不要部分を切除し、機械方向が長手方向になるように本体部素材４１の外形を決め、図４（ｇ）に示すように、本体部５を作製する。そして、図４（ｈ）に示すように、外形を決めたウイング部形成用シート３５を、長手方向に移動する本体部５に固定することによって、吸収性物品１を製造する。なお、外形を決めたウイング部形成用シート３５の幅方向の略真ん中を機械方向に切断してウイング部形成用シート３５を二分した後、本体部５に固定することによって、吸収性物品を製造するようにしてもよい。
【００３２】
以上の吸収性物品１の製造方法により、ウイング部７の幅方向外側の端部７ａまで存在する粘着部２２をウイング部７に容易に形成することができる。また、粘着部２２がウイング部７の幅方向外側の端部７ａまで存在しているにもかかわらず、粘着部２２がウイング部７の幅方向外側の端部７ａからはみ出ないようにすることができ、剥離シート２４を粘着部２２から剥がす前に粘着剤が着用者の肌に接触するのを防止することができる。
【００３３】
以上の本発明の一実施形態による吸収性物品１を次のように変形することができる。なお、本発明の一実施形態による吸収性物品１と同じ構成要素には同じ符号を付し、本発明の一実施形態による吸収性物品１と異なる部分を主に説明する。
【００３４】
（１）以上の一実施形態における吸収性物品１では、粘着部２２は、ウイング部７の幅方向（Ｘ軸方向）外側の全面に設けられている。しかし、図５に示す吸収性物品１Ａのように、粘着部２２Ａは、間欠的に形成されるようにしてもよい。吸収性物品１Ａでは、たとえば、粘着部２２Ａは、幅方向に延びる矩形形状の複数の粘着部構成要素２６Ａからなる。これにより、ウイング部７の幅方向外側の端部７ａに粘着部２２Ａが存在しない部分７ｂが形成される。そして、吸収性物品１Ａを下着から取り外すとき、ウイング部７の幅方向外側の端部７ａの粘着部２２Ａが存在しない部分７ｂを起点としてウイング部７を下着のクロッチ部から容易に剥がすことができる。
【００３５】
粘着部構成要素２６Ａの長手方向（Ｙ軸方向）の幅は、好ましくは１〜２０ｍｍであり、より好ましくは３〜１０ｍｍである。粘着部構成要素２６Ａの長手方向の幅が１ｍｍよりも小さいと、剥離シートに粘着剤を均一に塗布することが難しくなり、粘着部構成要素２６Ａの長手方向の幅が２０ｍｍよりも大きいと、ウイング部７の幅方向外側の端部７ａの粘着部２２Ａが存在しない部分７ｂが小さくなり、ウイング部７を下着のクロッチ部から容易に剥がすことができない場合がある。隣接する粘着部構成要素２６Ａ同士の長手方向（Ｙ軸方向）の間隔は、好ましくは２〜１０ｍｍであり、より好ましくは３〜８ｍｍである。隣接する粘着部構成要素２６Ａ同士の長手方向の間隔が２ｍｍよりも小さいと、ウイング部７の幅方向外側の端部７ａの粘着部２２Ａが存在しない部分７ｂが小さくなり、ウイング部７を下着のクロッチ部から容易に剥がすことができない場合があり、隣接する粘着部構成要素２６Ａ同士の長手方向の間隔が１０ｍｍよりも大きいと、ウイング部７を下着のクロッチ部に貼り付けたとき、ウイング部７の幅方向外側の端部７ａにめくれが生じる場合がある。
【００３６】
図５に示すように、粘着部２２Ａは、幅方向（Ｘ軸方向）に延びる形状の複数の粘着部構成要素２６Ａを含む場合、一方のウイング部７の粘着部構成要素２６Ａは、他方のウイング部７の粘着部構成要素２６Ａから幅方向に延ばした延長線２８Ａ上に存在することが好ましい。これにより、吸収性物品１Ａにおける長手方向の中心線ＢＢに対して、粘着部２２Ａを略左右対称に形成することができ、吸収性物品１を安定して着用者に装着できる。
【００３７】
また、図６に示す吸収性物品１Ｂのように、ウイング部７の幅方向外側の端部７ａの略中央部分７ｃでは、粘着部２２Ｂは、ウイング部７の幅方向外側の端部７ａまで達しないようにして、粘着部２２Ｂは、ウイング部７の幅方向外側の端部７ａの略中央部分７ｃには存在しないようにしてもよい。これにより、吸収性物品１Ｂを使用するとき、ウイング部７の幅方向外側の端部７ａの粘着部２２Ｂが存在しない部分７ｃを起点としてウイング部７を下着のクロッチ部から容易に剥がすことができる。
【００３８】
（２）以上の一実施形態における吸収性物品１では、ウイング部７の形状は略矩形形状であった。しかし、図７に示す吸収性物品１Ｃのように、ウイング部７Ｃは、長手方向（Ｙ軸方向）の寸法が小さい、付け根８Ｃ側の領域５２と、吸収性物品１Ｃの長手方向の寸法が大きい幅方向外側の領域５４とを有するようにしてもよい。吸収性物品１Ｃの長手方向の寸法が小さい付け根８Ｃ側の領域５２は、長手方向の寸法が大きい幅方向外側の領域５４に比べてウイング部７Ｃを容易に折り曲げることができるので、ウイング部７ｃの付け根８Ｃ近傍でウイング部７Ｃを折り曲げやすくなる。このとき、粘着部２２Ｃは、ウイング部７の長手方向の寸法が大きい領域５４に設けられ、長手方向の寸法が小さい領域５２には設けられていないようにしてもよい。これにより、粘着部２２Ｃが設けられている領域５４におけるウイング部７Ｃの剛性は高く、粘着部２２Ｃが設けられていない領域５２におけるウイング部７Ｃの剛性は低くなるので、ウイング部７Ｃの付け根８Ｃ近傍でウイング部７Ｃをさらに折り曲げやすくなる。
【００３９】
以上の本発明の一実施形態による吸収性物品１の製造方法を次のように変形することができる。
【００４０】
（１）吸収性物品を以下のように製造するようにしてもよい。図８（ａ）に示すように、ウイング部７を形成するために用いる帯状のウイング部形成用シート３１Ｄを供給する。帯状のウイング部形成用シート３１Ｄは、機械方向（ＭＤ）に移動する。図８（ｂ）に示すように、粘着剤を塗布した剥離シート３２Ｄを、帯状のウイング部形成用シート３１Ｄに機械方向の所定間隔で貼り付ける。図８（ｃ）に示すように、粘着剤が塗布されている領域３３Ｄが２つに分断されるように、剥離シート３２Ｄを貼り付けたウイング部形成用シート３１Ｄを所定間隔の点線３４Ｄで切断し、図８（ｄ）に示すように、切断したウイング部形成用シート３５Ｄを作製する。そして、図８（ｅ）に示すように、切断したウイング部形成用シート３５Ｄを機械方向に対して略９０°回転させる。また、図８（ｆ）に示すように、表面シート２を形成するために用いる表面シート形成用シートと裏面シート３を形成するために用いる裏面シート形成用シートとで吸収体を挟んで作製した帯状の本体部形成用シート４１を供給する。本体部形成用シート４１は機械方向（ＭＤ）に移動する。図８（ｇ）に示すように、本体部形成用シート４１の点線４２を切断して不要部分を切除し、機械方向が長手方向になるように本体部形成用シート４１の外形を決め、図８（ｈ）に示すように、本体部５を作製する。そして、図８（ｉ）に示すように、略９０°回転したウイング部形成用シート３５Ｄを、長手方向に移動する本体部５に固定することによって、吸収性物品１Ｄを製造する。なお、略９０°回転したウイング部形成用シート３５Ｄの幅方向の略真ん中を機械方向に切断してウイング部形成用シート３５Ｄを二分した後、本体部５に固定することによって、吸収性物品を製造するようにしてもよい。
【００４１】
上記吸収性物品の製造方法の変形例によれば、剥離シート３２Ｄを貼り付けたウイング部形成用シート３１Ｄを点線３４Ｄで切断したとき、取り除く不要部分が少ないので、本発明の一実施形態の吸収性物品１の製造方法に比べて、吸収性物品１Ｄの製造コストを減少させることができる。
【００４２】
（２）１枚のシートから裏面シートとウイング部の両方を含む形状を切り取って、裏面シートとウイング部が一体につながった１枚の部材を形成して吸収性物品を製造する場合、吸収性物品を以下のように製造するようにしてもよい。図９（ａ）に示すように、表面シートを形成するために用いる表面シート形成用シートと裏面シートを形成するために用いる裏面シート形成用シートとで吸収体を挟んで作製した帯状の本体部形成用シート４１Ｅを供給する。帯状の本体部形成用シート４１Ｅは、機械方向（ＭＤ）に移動する。図９（ｂ）に示すように、本体部形成用シート４１Ｅの機械方向と直交する幅方向に所定の距離で離隔し粘着剤を塗布した一対の剥離シート３２Ｅを、本体部形成用シート４１Ｅに貼り付ける。このとき、粘着剤を塗布した一対の剥離シート３２Ｅは、機械方向の所定間隔で本体部素材４１Ｅに貼り付けられる。なお、本体部形成用シート４１Ｅと同じように帯状の連続した一対の剥離シートを本体部形成用シート４１Ｅに貼り付けてもよい。図９（ｃ）に示すように、一対の剥離シート３２Ｅにおける粘着剤部が塗布されているそれぞれの領域３３Ｅが切断されて形成された端部が、ウイング部の幅方向外側の端部になるように、剥離シート３２Ｅを貼り付けた本体部形成用シート４１Ｅの点線３４Ｅを切断して不要部分を切除し、吸収性物品１Ｅを製造する。
【００４３】
実施形態と変形例の一つ、もしくは複数を組み合わせることも可能である。変形例同士をどのように組み合わせることも可能である。
【００４４】
以上の説明はあくまで一例であり、本発明は、上記の実施形態に何ら限定されるものではない。
【符号の説明】
【００４５】
１，１Ａ，１Ｂ，１Ｃ，１Ｄ，１Ｅ    吸収性物品
２    表面シート
３    裏面シート
４    吸収体
５    本体部
６    本体部の側縁
７，７Ｃ    ウイング部
８    ウイング部の付け根
１２    ウイング部形成部材
２２，２２Ａ，２２Ｂ，２２Ｃ    粘着部
２４，３２，３２Ｄ，３２Ｅ    剥離シート
２６Ａ    粘着部構成要素
３１，３１Ｄ，３５，３５Ｄ    ウイング部形成用シート
４１，４１Ｅ    本体部形成用シート
【図１】
0005791332.tif 000002
【図２】
0005791332.tif 000003
【図３】
0005791332.tif 000004
【図４】
0005791332.tif 000005
【図５】
0005791332.tif 000006
【図６】
0005791332.tif 000007
【図７】
0005791332.tif 000008
【図８】
0005791332.tif 000009
【図９】
0005791332.tif 000010